(57)【特許請求の範囲】
【請求項１】
入力信号を、各々が異なる複数の周波数成分をそれぞれ有する複数の信号に分離する分離手段と、
前記複数の信号のレベルを、それぞれ、調整するための複数の調整手段と、
前記複数の信号のレベルを、それぞれ判定する判定手段と、
前記判定手段による、前記複数の信号のレベルにそれぞれ対応する複数の判定結果に基づいて、前記複数の調整手段の各々が行なう信号のレベルの調整量を設定する設定手段とを備え、
前記複数の調整手段の各々は、前記設定手段により設定された調整量に基づいて、対応する信号のレベルを調整した調整信号を出力し、
前記複数の調整手段の各々が出力した複数の前記調整信号を加算して１つの信号にする加算手段とを備え、
前記設定手段は、前記判定手段により判定された前記複数の信号のレベルの各々の最大値のうちの最大の値の、各信号のレベルの各々の最大値に対する比を、前記複数の信号のレベル毎に算出し、
前記複数の調整手段の各々は、前記対応する信号のレベルを、当該信号のレベルに対応する前記比に基づいて調整する、信号調整装置。
【請求項２】
入力信号を、各々が異なる複数の周波数成分をそれぞれ有する複数の信号に分離する分離手段と、
前記複数の信号のレベルを、それぞれ、調整するための複数の調整手段と、
前記複数の調整手段の各々が行なう信号のレベルの調整量を設定するための設定手段とを備え、
前記複数の調整手段の各々は、前記設定手段により設定された調整量に基づいて、対応する信号のレベルを調整した調整信号を出力し、
前記複数の調整手段の各々が出力した複数の前記調整信号のレベルを、それぞれ判定する判定手段をさらに備え、
前記設定手段は、前記判定手段により判定された前記複数の調整信号のレベルの各々の最大値のうちの最大の値の、各調整信号のレベルの各々の最大値に対する比を、前記複数の調整信号のレベル毎に算出し、
前記複数の調整手段の各々は、さらに、前記対応する信号のレベルを、当該信号のレベルに基づく前記調整信号のレベルに対応する前記比に基づいて調整し、当該調整した調整信号を出力し、
前記設定手段は、前記複数の調整手段の各々が出力した前記調整信号のレベルの最大値が一致するか否かを判定し、
前記調整信号のレベルの最大値が一致したことに基づき、前記複数の調整手段の各々が出力した前記複数の調整信号を加算して１つの信号にする加算手段をさらに備える、信号調整装置。
【請求項３】
前記入力信号は、テスト画像の１ラインの信号である、請求項１または２に記載の信号調整装置。
【請求項４】
各々が、信号のレベルを調整する複数の調整部を備える信号調整装置に実行させる信号調整方法であって、
入力信号を、各々が異なる複数の周波数成分をそれぞれ有する複数の信号に分離するステップと、
前記複数の信号のレベルを、それぞれ、前記複数の調整部により調整させるステップと、
前記複数の信号のレベルを、それぞれ判定するステップと、
前記判定するステップによる、前記複数の信号のレベルにそれぞれ対応する複数の判定結果に基づいて、前記複数の調整部の各々が行なう信号のレベルの調整量を設定するステップと、
前記複数の調整部の各々に、前記設定するステップにより設定された調整量に基づいて、対応する信号のレベルを調整した調整信号を出力させるステップと、
前記複数の調整部の各々が出力した複数の前記調整信号を加算して１つの信号にするステップとを備え、
前記信号のレベルの調整量を設定するステップでは、前記判定された前記複数の信号のレベルの各々の最大値のうちの最大の値の、各信号のレベルの各々の最大値に対する比を、前記複数の信号のレベル毎に算出し、
前記複数の信号のレベルを調整させるステップでは、前記複数の調整部の各々が、前記対応する信号のレベルを、当該信号のレベルに対応する前記比に基づいて調整する、信号調整方法。
【請求項５】
各々が、信号のレベルを調整する複数の調整部を備える信号調整装置に実行させる信号調整方法であって、
入力信号を、各々が異なる複数の周波数成分をそれぞれ有する複数の信号に分離するステップと、
前記複数の信号のレベルを、それぞれ、前記複数の調整部により調整させるステップと、
前記複数の調整部の各々が行なう信号のレベルの調整量を設定するステップと、
前記複数の調整部の各々に、前記設定するステップにより設定された調整量に基づいて、対応する信号のレベルを調整した調整信号を出力させるステップと、
前記複数の調整部の各々が出力した複数の前記調整信号のレベルを、それぞれ判定するステップとを備え、
前記信号のレベルの調整量を設定するステップでは、前記判定された前記複数の調整信号のレベルの各々の最大値のうちの最大の値の、各調整信号のレベルの各々の最大値に対する比を、前記複数の調整信号のレベル毎に算出し、
前記調整信号を出力させるステップでは、前記複数の調整部の各々が、前記対応する信号のレベルを、当該信号のレベルに基づく前記調整信号のレベルに対応する前記比に基づいて調整し、当該調整した調整信号を出力し、
前記信号のレベルの調整量を設定するステップでは、さらに、前記複数の調整部の各々が出力した前記調整信号のレベルの最大値が一致するか否かを判定し、
前記信号調整方法は、
前記調整信号のレベルの最大値が一致したことに基づき、前記複数の調整部の各々が出力した前記複数の調整信号を加算して１つの信号にするステップをさらに備える、信号調整方法。
【請求項６】
前記入力信号は、テスト画像の１ラインの信号である、請求項４または５に記載の信号調整方法。
【発明の詳細な説明】
【技術分野】
【０００１】
本発明は、信号調整装置および信号調整方法に関し、特に、映像信号の調整を行なう信号調整装置および信号調整方法に関する。
【背景技術】
【０００２】
液晶モニタ等の表示装置では、一般的に、表示された画像が所望の色および階調を表現できているか否かを判定するために、最終調整として、テスト信号を使用したゲイン調整が行なわれる。
【０００３】
特開２００２−３４１８５０号公報（特許文献１）では、ゲイン調整により、映像のコントラストや黒レベルを調整する技術（以下、従来技術Ａともいう）が開示されている。
【特許文献１】特開２００２−３４１８５０号公報
【発明の開示】
【発明が解決しようとする課題】
【０００４】
従来技術Ａでは、ＬＰＦ（Low Pass Filter）により、調整する信号の低周波成分を抽出し、抽出した低周波成分に基づいてゲイン調整を行なっている。そのため、従来技術Ａでは、図１１（Ａ）のように、所定時間以上、一定のレベルが続く信号に対しては、ゲイン調整を正しく行なうことができる。しかしながら、図１１（Ｂ）のように、たとえば、１画素毎に、白と、黒とが交互に続くような信号（以下、高周波信号ともいう）は、高周波信号の伝送時に、信号のレベルが減衰してしまう可能性が高い。そのため、従来技術Ａでは、高周波信号に対して、適切なゲイン調整を行なうことができないという問題があった。
【０００５】
本発明は、上述の問題点を解決するためになされたものであって、その目的は、高精度なゲイン調整を行なうことができる信号調整装置を提供することにある。
【０００６】
本発明の他の目的は、高精度なゲイン調整を行なうことができる信号調整方法を提供することにある。
【課題を解決するための手段】
【０００７】
上述の課題を解決するために、この発明のある局面に従う信号調整装置は、入力信号を、各々が異なる複数の周波数成分をそれぞれ有する複数の信号に分離する分離手段と、複数の信号のレベルを、それぞれ、調整するための複数の調整手段と、複数の信号のレベルを、それぞれ判定する判定手段と、判定手段による、複数の信号のレベルにそれぞれ対応する複数の判定結果に基づいて、複数の調整手段の各々が行なう信号のレベルの調整量を設定する設定手段とを備え、複数の調整手段の各々は、設定手段により設定された調整量に基づいて、対応する信号のレベルを調整した調整信号を出力し、複数の調整手段の各々が出力した複数の調整信号を加算して１つの信号にする加算手段とを備える。
【０００８】
好ましくは、設定手段は、判定手段により判定された複数の信号のレベルの各々の最大値に基づいて、複数の調整手段の各々が行なう信号のレベルの調整量を設定する。
【０００９】
この発明の他の局面に従う信号調整装置は、入力信号を、各々が異なる複数の周波数成分をそれぞれ有する複数の信号に分離する分離手段と、複数の信号のレベルを、それぞれ、調整するための複数の調整手段と、複数の調整手段の各々が行なう信号のレベルの調整量を設定するための設定手段とを備え、複数の調整手段の各々は、設定手段により設定された調整量に基づいて、対応する信号のレベルを調整した調整信号を出力し、複数の調整手段の各々が出力した複数の調整信号のレベルを、それぞれ判定する判定手段をさらに備え、設定手段は、判定手段による、複数の調整信号のレベルにそれぞれ対応する複数の判定結果に基づいて、複数の調整手段の各々が行なう信号のレベルの調整量を設定し、複数の調整手段の各々が出力した複数の調整信号を加算して１つの信号にする加算手段をさらに備える。
【００１０】
好ましくは、設定手段は、判定手段により判定された複数の調整信号のレベルの各々の最大値に基づいて、複数の調整手段の各々が行なう信号のレベルの調整量を設定する。
【００１１】
この発明のさらに他の局面に従うと、各々が、信号のレベルを調整する複数の調整部を備える信号調整装置に実行させる信号調整方法は、入力信号を、各々が異なる複数の周波数成分をそれぞれ有する複数の信号に分離するステップと、複数の信号のレベルを、それぞれ、複数の調整部により調整させるステップと、複数の信号のレベルを、それぞれ判定するステップと、判定するステップによる、複数の信号のレベルにそれぞれ対応する複数の判定結果に基づいて、複数の調整部の各々が行なう信号のレベルの調整量を設定するステップと、複数の調整手段の各々に、設定するステップにより設定された調整量に基づいて、対応する信号のレベルを調整した調整信号を出力させるステップと、複数の調整手段の各々が出力した複数の調整信号を加算して１つの信号にするステップとを含む。
【００１２】
好ましくは、設定するステップは、判定するステップにより判定された複数の信号のレベルの各々の最大値に基づいて、複数の調整手段の各々が行なう信号のレベルの調整量を設定するステップを含む。
【００１３】
この発明のさらに他の局面に従うと、各々が、信号のレベルを調整する複数の調整部を備える信号調整装置に実行させる信号調整方法は、入力信号を、各々が異なる複数の周波数成分をそれぞれ有する複数の信号に分離するステップと、複数の信号のレベルを、それぞれ、複数の調整部により調整させるステップと、複数の調整手段の各々が行なう信号のレベルの調整量を設定するステップと、複数の調整手段の各々に、設定するステップにより設定された調整量に基づいて、対応する信号のレベルを調整した調整信号を出力させるステップと、複数の調整手段の各々が出力した複数の調整信号のレベルを、それぞれ判定するステップと、設定するステップは、判定するステップによる、複数の調整信号のレベルにそれぞれ対応する複数の判定結果に基づいて、複数の調整手段の各々が行なう信号のレベルの調整量を設定するステップを含み、複数の調整手段の各々が出力した複数の調整信号を加算して１つの信号にするステップをさらに含む。
【００１４】
好ましくは、設定するステップは、判定するステップにより判定された複数の調整信号のレベルの各々の最大値に基づいて、複数の調整手段の各々が行なう信号のレベルの調整量を設定するステップを含む。
【発明の効果】
【００１５】
本発明に係る信号調整装置は、入力信号を、各々が異なる複数の周波数成分をそれぞれ有する複数の信号に分離し、複数の信号のレベルを、それぞれ、調整するための複数の調整手段の各々が行なう信号のレベルの調整量を設定する。複数の調整手段の各々は、設定された調整量に基づいて、対応する信号のレベルを調整した調整信号を出力し、複数の調整手段の各々が出力した複数の調整信号を加算して１つの信号にする。
【００１６】
したがって、入力信号に含まれる複数の周波数成分をそれぞれ含む複数の信号を独立してレベル調整することができる。その結果、高精度なゲイン調整を行なうことができるという効果を奏する。
【００１７】
本発明に係る信号調整装置は、入力信号を、各々が異なる複数の周波数成分をそれぞれ有する複数の信号に分離し、複数の信号のレベルを、それぞれ、調整するための複数の調整手段の各々が行なう信号のレベルの調整量を設定する。複数の調整手段の各々は、設定された調整量に基づいて、対応する信号のレベルを調整した調整信号を出力し、複数の調整手段の各々が出力した複数の調整信号のレベルを、それぞれ判定する。複数の調整手段の各々が行なう信号のレベルの調整量の設定は、複数の調整信号のレベルにそれぞれ対応する複数の判定結果に基づいて行なわれる。そして、複数の調整手段の各々が出力した複数の調整信号を加算して１つの信号にする。
【００１８】
したがって、１つの信号に加算される前の複数の調整信号に基づいて、入力信号に含まれる複数の周波数成分をそれぞれ含む複数の信号を独立してレベル調整することができる。その結果、より高精度なゲイン調整を行なうことができるという効果を奏する。
【００１９】
本発明に係る信号調整方法は、入力信号を、各々が異なる複数の周波数成分をそれぞれ有する複数の信号に分離し、複数の信号のレベルを、それぞれ、調整するための複数の調整部の各々が行なう信号のレベルの調整量を設定する。複数の調整部の各々は、設定された調整量に基づいて、対応する信号のレベルを調整した調整信号を出力し、複数の調整部の各々が出力した複数の調整信号を加算して１つの信号にする。
【００２０】
したがって、入力信号に含まれる複数の周波数成分をそれぞれ含む複数の信号を独立してレベル調整することができる。その結果、高精度なゲイン調整を行なうことができるという効果を奏する。
【００２１】
本発明に係る信号調整方法は、入力信号を、各々が異なる複数の周波数成分をそれぞれ有する複数の信号に分離し、複数の信号のレベルを、それぞれ、調整するための複数の調整部の各々が行なう信号のレベルの調整量を設定する。複数の調整部の各々は、設定された調整量に基づいて、対応する信号のレベルを調整した調整信号を出力し、複数の調整部の各々が出力した複数の調整信号のレベルを、それぞれ判定する。複数の調整手段の各々が行なう信号のレベルの調整量の設定は、複数の調整信号のレベルにそれぞれ対応する複数の判定結果に基づいて行なわれる。そして、複数の調整手段の各々が出力した複数の調整信号を加算して１つの信号にする。
【００２２】
したがって、１つの信号に加算される前の複数の調整信号に基づいて、入力信号に含まれる複数の周波数成分をそれぞれ含む複数の信号を独立してレベル調整することができる。その結果、より高精度なゲイン調整を行なうことができるという効果を奏する。
【発明を実施するための最良の形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜第１の実施の形態＞
図１は、第１の実施の形態における、信号調整装置１０００の構成を示すブロック図である。図１を参照して、信号調整装置１０００は、周波数分離部１１０を備える。
【００２５】
周波数分離部１１０は、テスト画像の１ラインの信号であるテスト信号ＴＥＳＳＩＧを受信する。なお、テスト信号ＴＥＳＳＩＧは、テスト画像のＲ，Ｇ，Ｂ成分のうち、たとえば、Ｒ成分の信号であるとする。
【００２６】
図２は、テスト画像およびテスト画像を示す信号の波形図である。図２（Ａ）は、一例としてのテスト画像Ｇ１００を示す図である。図２（Ａ）を参照して、テスト画像Ｇ１００は、たとえば、各々が同じ面積を有する、左上、右上、左下、右下の領域に分割される。テスト画像Ｇ１００内の左上の領域には、縦方向に向かって、たとえば、１画素毎に、白と黒とが交互に配置される。テスト画像Ｇ１００内の右上の領域（以下、テスト画像右上領域ともいう）には、横方向に向かって、たとえば、１画素毎に、白と黒とが交互に配置される。
【００２７】
テスト画像Ｇ１００内の左下の領域は、テスト画像Ｇ１００内の右上の領域と同様なので詳細な説明は繰り返さない。テスト画像Ｇ１００内の右下の領域は、テスト画像Ｇ１００内の左上の領域と同様なので詳細な説明は繰り返さない。
【００２８】
テスト画像Ｇ１００は、信号調整装置１０００の外部に設けられた、図示しないテスト画像生成装置が生成する。テスト画像生成装置は、信号調整装置１０００とアナログの信号ケーブルで接続される。テスト画像生成装置は、テスト画像Ｇ１００内の上から下に向かう１ライン毎に、テスト画像Ｇ１００の１ラインの信号（以下、オリジナル信号ともいう）を、信号ケーブルを介して、信号調整装置１０００へ送信する。
【００２９】
図２（Ｂ）は、一例としてのオリジナル信号ＯＲＳＩＧの波形図である。図２（Ｂ）を参照して、オリジナル信号ＯＲＳＩＧは、テスト画像Ｇ１００内の、たとえば、ラインＬ１の画像を示す信号の波形図である。
【００３０】
図２（Ｃ）は、テスト信号ＴＥＳＳＩＧの波形図である。テスト信号ＴＥＳＳＩＧは、オリジナル信号ＯＲＳＩＧが、前述の信号ケーブルを介して、信号調整装置１０００に入力されるときの信号である。
【００３１】
図２（Ｃ）を参照して、前述したように、テスト画像右上領域は１画素毎に、白と黒とが交互に配置される、すなわち、高周波成分を含むので、オリジナル信号ＯＲＳＩＧのうちの、テスト画像右上領域に対応する部分の信号は、図２（Ｃ）に示されるように、信号ケーブルの特性により、オリジナル信号ＯＲＳＩＧよりも、減衰してしまう。
【００３２】
再び、図１を参照して、周波数分離部１１０は、受信した信号を、高周波成分を含む信号と、低周波成分を含む信号とに分離する機能を有する。具体的には、周波数分離部１１０は、受信したテスト信号ＴＥＳＳＩＧを、所定の周波数成分より大きい周波数成分を含む高周波信号ＨＦＱＳＩＧと、所定の周波数成分以下の周波数成分を含む低周波信号ＬＦＱＳＩＧとに分離する。テスト信号ＴＥＳＳＩＧの周波数が、たとえば、６０ＭＨｚである場合、所定の周波数成分とは、たとえば、２０ＭＨｚの周波数成分とする。これは、６０ＭＨｚの半分の３０ＭＨｚ付近の信号と、１５ＭＨｚ以下の信号とを分離するためである。なお、所定の周波数成分は、２０ＭＨｚの周波数成分に限定されることなく、他の値の周波数成分であってもよい。
【００３３】
図３は、信号の波形図である。図３（Ａ）は、高周波信号ＨＦＱＳＩＧの波形図である。図３（Ｂ）は、低周波信号ＬＦＱＳＩＧの波形図である。
【００３４】
再び、図１を参照して、信号調整装置１０００は、さらに、制御部１２０と、ゲイン調整部１３０Ａ，１３０Ｂと、加算部１９０とを備える。
【００３５】
周波数分離部１１０は、高周波信号ＨＦＱＳＩＧを、ゲイン調整部１３０Ａおよび制御部１２０へ送信する。また、周波数分離部１１０は、低周波信号ＬＦＱＳＩＧを、ゲイン調整部１３０Ｂおよび制御部１２０へ送信する。
【００３６】
制御部１２０は、信号調整装置１０００の内部の各部に対する各種処理や、演算処理等を行なう機能を有する。制御部１２０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。
【００３７】
制御部１２０は、受信した高周波信号ＨＦＱＳＩＧおよび低周波信号ＬＦＱＳＩＧの各々の最大値を判定する。高周波信号ＨＦＱＳＩＧの最大値とは、図３（Ａ）の波形図における、最も大きい振幅Ｈ１の値である。低周波信号ＬＦＱＳＩＧの最大値とは、図３（Ｂ）の波形図における、振幅Ｈ２の値である。なお、振幅Ｈ２は、低周波信号ＬＦＱＳＩＧにおける、オーバーシュートが発生している部分を除く、振幅が安定した部分のうち、最も大きい振幅の値である。
【００３８】
そして、制御部１２０は、高周波信号ＨＦＱＳＩＧのレベルの最大値（Ｈ１）と、低周波信号ＬＦＱＳＩＧのレベルの最大値（Ｈ２）とを比較する。制御部１２０は、高周波信号ＨＦＱＳＩＧの最大値（Ｈ１）および低周波信号ＬＦＱＳＩＧの最大値（Ｈ２）のいずれかが大きい場合、大きいと判定した信号の最大値を、小さいと判定した信号の最大値で除算することにより、増幅度（ゲイン）を算出する。
【００３９】
たとえば、Ｈ１＜Ｈ２の場合、制御部１２０は、Ｈ２／Ｈ１により、増幅度（ゲイン）を算出する。ここで、算出された増幅度は、たとえば、“１．２”であるとする。
【００４０】
そして、制御部１２０は、高周波信号ＨＦＱＳＩＧが入力されるゲイン調整部１３０Ａの増幅度を、“１．２”に設定する。また、制御部１２０は、低周波信号ＬＦＱＳＩＧが入力されるゲイン調整部１３０Ｂの増幅度を、“１．０”に設定する。
【００４１】
ゲイン調整部１３０Ａおよびゲイン調整部１３０Ｂの各々は、制御部１２０に設定された増幅度に基づいて、受信した信号を増幅させる。なお、ゲイン調整部１３０Ａおよびゲイン調整部１３０Ｂの各々は、初期状態では、受信した信号を増幅せずにそのまま出力する。すなわち、ゲイン調整部１３０Ａおよびゲイン調整部１３０Ｂの各々の増幅度は、初期状態では、“１．０”である。
【００４２】
ゲイン調整部１３０Ａは、高周波信号ＨＦＱＳＩＧの振幅を１．２倍にしたゲイン調整信号ＨＦＱＡＳＩＧを、加算部１９０へ送信する。また、ゲイン調整部１３０Ｂは、低周波信号ＬＦＱＳＩＧを、そのまま、ゲイン調整信号ＬＦＱＡＳＩＧとして、加算部１９０へ送信する。
【００４３】
再び、図３を参照して、図３（Ｃ）は、ゲイン調整信号ＨＦＱＡＳＩＧの波形図である。図３（Ｄ）は、ゲイン調整信号ＬＦＱＡＳＩＧの波形図である。
【００４４】
再び、図１を参照して、加算部１９０は、受信したゲイン調整信号ＨＦＱＡＳＩＧとゲイン調整信号ＬＦＱＡＳＩＧとを加算した出力信号ＯＵＴＳＩＧを出力する。
【００４５】
図４は、出力信号ＯＵＴＳＩＧの波形図である。
次に、信号調整装置１０００が、テスト信号ＴＥＳＳＩＧに基づいてゲイン調整を行なう処理（以下、ゲイン調整処理ともいう）について説明する。なお、ゲイン調整処理とは、独立して並列的に、後述する増幅度算出処理も行なわれる。
【００４６】
図５は、ゲイン調整処理および増幅度算出処理のフローチャートである。図５を参照して、ステップＳ１１０では、周波数分離回路１１０が、前述した、図示しないテスト画像生成装置から、テスト信号ＴＥＳＳＩＧを受信する。その後、ステップＳ１２０に進む。
【００４７】
ステップＳ１２０では、周波数分離部１１０が、受信したテスト信号ＴＥＳＳＩＧを、前述したように、高周波信号ＨＦＱＳＩＧと、低周波信号ＬＦＱＳＩＧとに分離する。なお、詳細な説明は、前述したのと同様なので繰り返さない。そして、周波数分離部１１０は、高周波信号ＨＦＱＳＩＧを、ゲイン調整部１３０Ａおよび制御部１２０へ送信する。また、周波数分離部１１０は、低周波信号ＬＦＱＳＩＧを、ゲイン調整部１３０Ｂおよび制御部１２０へ送信する。その後、ステップＳ１３０に進む。
【００４８】
なお、ゲイン調整処理とは独立して並列的に、増幅度算出処理が行なわれる。増幅度算出処理において、ステップＳ１８０では、信号レベルの判定が行なわれる。具体的には、制御部１２０が、高周波信号ＨＦＱＳＩＧおよび低周波信号ＬＦＱＳＩＧのレベルを判定する。その後、ステップＳ１８２に進む。
【００４９】
ステップＳ１８２では、増幅度算出処理が行なわれる。増幅度算出処理では、制御部１２０が、前述したように、高周波信号ＨＦＱＳＩＧのレベルの最大値（Ｈ１）と、低周波信号ＬＦＱＳＩＧのレベルの最大値（Ｈ２）とを比較する。制御部１２０は、高周波信号ＨＦＱＳＩＧの最大値（Ｈ１）および低周波信号ＬＦＱＳＩＧの最大値（Ｈ２）のいずれかが大きい場合、大きいと判定した信号の最大値を、小さいと判定した信号の最大値で除算することにより、増幅度（ゲイン）を算出する。その後、ステップＳ１８４に進む。
【００５０】
ステップＳ１８４では、増幅度の設定が行なわれる。具体的には、制御部１２０が、前述したように、高周波信号ＨＦＱＳＩＧが入力されるゲイン調整部１３０Ａの増幅度を設定する。また、制御部１２０は、前述したように、低周波信号ＬＦＱＳＩＧが入力されるゲイン調整部１３０Ｂの増幅度を設定する。その後、この増幅度算出処理は、終了する。この増幅度算出処理は、テスト信号ＴＥＳＳＩＧが入力される毎に、繰返し行なわれる。
【００５１】
ゲイン調整処理のステップＳ１３０では、ゲイン調整が行なわれる。具体的には、ゲイン調整部１３０Ａが、前述したように、高周波信号ＨＦＱＳＩＧの振幅を、前述のステップＳ１８４の処理において制御部１２０により設定された増幅度で増幅したゲイン調整信号ＨＦＱＡＳＩＧを、加算部１９０へ送信する。また、ゲイン調整部１３０Ｂは、前述したように、低周波信号ＬＦＱＳＩＧを、そのまま、ゲイン調整信号ＬＦＱＡＳＩＧとして、加算部１９０へ送信する。その後、ステップＳ１４０に進む。
【００５２】
ステップＳ１４０では、加算処理が行なわれる。加算処理では、加算部１９０が、前述したように、受信したゲイン調整信号ＨＦＱＡＳＩＧとゲイン調整信号ＬＦＱＡＳＩＧとを加算した出力信号ＯＵＴＳＩＧを出力する。その後，ステップＳ１５０に進む。
【００５３】
ステップＳ１５０では、制御部１２０により、図示しないテスト画像生成装置から、全てのテスト信号ＴＥＳＳＩＧを受信したか否かが判定される。ここで、全てのテスト信号ＴＥＳＳＩＧとは、テスト画像の全ラインの信号である。ステップＳ１５０において、ＹＥＳならば、このゲイン調整処理は終了する。一方、ステップＳ１５０において、ＮＯならば、再度、ステップＳ１１０の処理が行なわれる。
【００５４】
以上のゲイン調整処理および増幅度算出処理を、テスト画像のＧ成分、Ｂ成分に対しても、前述した処理と同様に行なうことで、テスト画像に基づくゲイン調整が終了する。
【００５５】
以上説明したように、本実施の形態では、ゲイン調整を行なうための信号を、各々が、異なる周波数成分を有する複数の信号に分離する。そして、複数の信号の各々毎に、増幅度を算出して、必要に応じて、対応する増幅度で信号の増幅を行なう。そして、分離した信号を加算する。
【００５６】
したがって、本実施の形態における、信号調整装置１０００は、低周波成分を有する信号だけでなく、高周波成分を含む信号も、独立して、適切にゲイン調整を行なうことができる。その結果、高精度なゲイン調整を行なうことができるという効果を奏する。
【００５７】
＜第２の実施の形態＞
第１の実施の形態では、加算部に入力される直前の信号に基づいて、信号の増幅度を設定していなかったため、加算部により加算されたる複数の信号にそれぞれ対応する最大値が、必ずしも一致するとは限らなかった。
【００５８】
本実施の形態では、加算部に入力される直前の信号に基づいて、信号の増幅度を設定する信号調整装置ついて説明する。
【００５９】
図６は、第２の実施の形態における、信号調整装置１０００Ａの構成を示すブロック図である。図６を参照して、信号調整装置１０００Ａは、図１の信号調整装置１０００と比較して、高周波信号ＨＦＱＳＩＧおよび低周波信号ＬＦＱＳＩＧが制御部１２０に入力されない点と、ゲイン調整信号ＨＦＱＡＳＩＧおよびゲイン調整信号ＬＦＱＡＳＩＧが、制御部１２０に入力される点とが異なる。それ以外は、信号調整装置１０００と同様なので、詳細な説明は繰り返さない。
【００６０】
次に、信号調整装置１０００Ａの処理について説明する。
周波数分離部１１０には、前述したテスト画像Ｇ１００の１ラインの信号であるテスト信号ＴＥＳＳＩＧが入力される。テスト信号ＴＥＳＳＩＧは、テスト画像Ｇ１００のＲ，Ｇ，Ｂ成分のうち、たとえば、Ｒ成分の信号であるとする。
【００６１】
周波数分離部１１０は、受信したテスト信号ＴＥＳＳＩＧを、前述したように、所定の周波数成分より大きい周波数成分を含む高周波信号ＨＦＱＳＩＧと、所定の周波数成分以下の周波数成分を含む低周波信号ＬＦＱＳＩＧとに分離する。この場合、高周波信号ＨＦＱＳＩＧの波形図は、たとえば、図３（Ａ）であるとする。また、低周波信号ＬＦＱＳＩＧの波形図は、たとえば、図３（Ｂ）であるとする。
【００６２】
そして、周波数分離部１１０は、高周波信号ＨＦＱＳＩＧおよび低周波信号ＬＦＱＳＩＧを、それぞれ、ゲイン調整部１３０Ａおよびゲイン調整部１３０Ｂへ送信する。ゲイン調整部１３０Ａおよびゲイン調整部１３０Ｂの各々は、制御部１２０に設定された増幅度に基づいて、受信した信号を増幅させる。
【００６３】
ゲイン調整部１３０Ａおよびゲイン調整部１３０Ｂの各々の増幅度は、前述したように、初期状態では、“１．０”である。したがって、ゲイン調整部１３０Ａは、初めて高周波信号ＨＦＱＳＩＧを受信した場合、受信した高周波信号ＨＦＱＳＩＧを、そのまま、ゲイン調整信号ＨＦＱＡＳＩＧとして、加算部１９０および制御部１２０へ送信する。
【００６４】
また、ゲイン調整部１３０Ｂは、初めて低周波信号ＬＦＱＳＩＧを受信した場合、受信した低周波信号ＬＦＱＳＩＧを、そのまま、ゲイン調整信号ＬＦＱＡＳＩＧとして、加算部１９０および制御部１２０へ送信する。この場合、ゲイン調整信号ＨＦＱＡＳＩＧの波形図は、たとえば、図３（Ａ）であるとする。また、ゲイン調整信号ＬＦＱＡＳＩＧの波形図は、たとえば、図３（Ｂ）であるとする。
【００６５】
そして、加算部１９０は、受信したゲイン調整信号ＨＦＱＡＳＩＧとゲイン調整信号ＬＦＱＡＳＩＧとを加算した出力信号ＯＵＴＳＩＧを出力する。
【００６６】
また、制御部１２０は、受信したゲイン調整信号ＨＦＱＡＳＩＧおよびゲイン調整信号ＬＦＱＡＳＩＧの各々の最大値を判定する。ゲイン調整信号ＨＦＱＡＳＩＧの最大値とは、図３（Ａ）の波形図における、最も大きい振幅Ｈ１の値である。ゲイン調整信号ＬＦＱＡＳＩＧの最大値とは、図３（Ｂ）の波形図における、振幅Ｈ２の値である。なお、振幅Ｈ２は、前述したように、低周波信号ＬＦＱＳＩＧにおける、オーバーシュートが発生している部分を除く、振幅が安定した部分のうち、最も大きい振幅の値である。
【００６７】
そして、制御部１２０は、ゲイン調整信号ＨＦＱＡＳＩＧのレベルの最大値（Ｈ１）と、ゲイン調整信号ＬＦＱＡＳＩＧのレベルの最大値（Ｈ２）とを比較する。制御部１２０は、ゲイン調整信号ＨＦＱＡＳＩＧの最大値（Ｈ１）およびゲイン調整信号ＬＦＱＡＳＩＧの最大値（Ｈ２）のいずれかが大きい場合、大きいと判定した信号の最大値を、小さいと判定した信号の最大値で除算することにより、増幅度（ゲイン）を算出する。
【００６８】
たとえば、前述したように、Ｈ１＜Ｈ２の場合、制御部１２０は、Ｈ２／Ｈ１により、増幅度（ゲイン）を算出する。ここで、算出された増幅度は、たとえば、“１．２”であるとする。
【００６９】
そして、制御部１２０は、高周波信号ＨＦＱＳＩＧが入力されるゲイン調整部１３０Ａの増幅度を、“１．２”に設定する。また、制御部１２０は、低周波信号ＬＦＱＳＩＧが入力されるゲイン調整部１３０Ｂの増幅度を、“１．０”に設定する。
【００７０】
ゲイン調整部１３０Ａは、高周波信号ＨＦＱＳＩＧの振幅を１．２倍にしたゲイン調整信号ＨＦＱＡＳＩＧを、加算部１９０および制御部１２０へ送信する。また、ゲイン調整部１３０Ｂは、低周波信号ＬＦＱＳＩＧを、そのまま、ゲイン調整信号ＬＦＱＡＳＩＧとして、加算部１９０および制御部１２０へ送信する。
【００７１】
この場合、ゲイン調整信号ＨＦＱＡＳＩＧの波形図は、たとえば、図３（Ｃ）であるとする。また、ゲイン調整信号ＬＦＱＡＳＩＧの波形図は、たとえば、図３（Ｄ）であるとする。
【００７２】
そして、制御部１２０は、再度、ゲイン調整信号ＨＦＱＡＳＩＧの最大値（Ｈ１）と、ゲイン調整信号ＬＦＱＡＳＩＧの最大値（Ｈ２）とを比較し、Ｈ１とＨ２とが一致するか否かを判定する。Ｈ１とＨ２とが一致していなかった場合、再度、前述したように、増幅度（ゲイン）を算出する。そして、算出した増幅度に基づいて、前述したように、ゲイン調整部１３０Ａおよびゲイン調整部１３０Ｂの増幅度を設定する。以上の処理を、Ｈ１とＨ２とが一致するまで繰り返す。
【００７３】
Ｈ１とＨ２とが一致すると、制御部１２０は、ゲイン調整部１３０Ａおよびゲイン調整部１３０Ｂの増幅度の変更は行なわない。すなわち、ゲイン調整部１３０Ａおよびゲイン調整部１３０Ｂの増幅度が確定される。
【００７４】
そして、加算部１９０は、受信したゲイン調整信号ＨＦＱＡＳＩＧとゲイン調整信号ＬＦＱＡＳＩＧとを加算した出力信号ＯＵＴＳＩＧを出力する。この場合、出力信号ＯＵＴＳＩＧの波形図は、たとえば、図４のようになる。
【００７５】
次に、信号調整装置１０００Ａが、テスト信号ＴＥＳＳＩＧに基づいてゲイン調整を行なう処理（以下、ゲイン調整処理Ａともいう）について説明する。
【００７６】
図７は、ゲイン調整処理Ａのフローチャートである。図７を参照して、ステップＳ２１０では、周波数分離回路１１０が、前述した、図示しないテスト画像生成装置から、テスト信号ＴＥＳＳＩＧを受信する。その後、ステップＳ２２０に進む。
【００７７】
ステップＳ２２０では、周波数分離部１１０が、受信したテスト信号ＴＥＳＳＩＧを、前述したように、高周波信号ＨＦＱＳＩＧと、低周波信号ＬＦＱＳＩＧとに分離する。なお、詳細な説明は、前述したのと同様なので繰り返さない。そして、周波数分離部１１０は、高周波信号ＨＦＱＳＩＧおよび低周波信号ＬＦＱＳＩＧを、それぞれ、ゲイン調整部１３０Ａおよびゲイン調整部１３０Ｂへ送信する。その後、ステップＳ２３０に進む。
【００７８】
ステップＳ２３０では、ゲイン調整が行なわれる。具体的には、ゲイン調整部１３０Ａおよびゲイン調整部１３０Ｂの各々が、制御部１２０に設定された増幅度に基づいて、受信した信号を増幅させる。ゲイン調整部１３０Ａおよびゲイン調整部１３０Ｂの各々の増幅度は、前述したように、初期状態では、“１．０”である。したがって、初めて、ステップＳ２３０の処理が行なわれる場合、ゲイン調整部１３０Ａは、受信した高周波信号ＨＦＱＳＩＧを、そのまま、ゲイン調整信号ＨＦＱＡＳＩＧとして、加算部１９０および制御部１２０へ送信する。また、ゲイン調整部１３０Ｂは、受信した低周波信号ＬＦＱＳＩＧを、そのまま、ゲイン調整信号ＬＦＱＡＳＩＧとして、加算部１９０および制御部１２０へ送信する。その後、ステップＳ２３２に進む。
【００７９】
ステップＳ２３２では、制御部１２０が、受信したゲイン調整信号ＨＦＱＡＳＩＧおよびゲイン調整信号ＬＦＱＡＳＩＧにそれぞれ対応する複数のレベルの最大値が一致するか否かを判定する。ゲイン調整信号ＨＦＱＡＳＩＧおよびゲイン調整信号ＬＦＱＡＳＩＧのレベルの最大値の説明は、前述したので、詳細な説明は繰り返さない。ステップＳ２３２において、ＹＥＳならば、ステップＳ２４０に進む。一方、ステップＳ２３２において、ＮＯならば、ステップＳ２３３に進む。
【００８０】
ステップＳ２３３では、信号レベルの判定が行なわれる。具体的には、制御部１２０が、ゲイン調整信号ＨＦＱＡＳＩＧおよびゲイン調整信号ＬＦＱＡＳＩＧのレベルを判定する。その後、ステップＳ２３４に進む。
【００８１】
ステップＳ２３４では、制御部１２０が、増幅度の算出を行なう。具体的には、前述したように、制御部１２０が、ゲイン調整信号ＨＦＱＡＳＩＧの最大値（Ｈ１）およびゲイン調整信号ＬＦＱＡＳＩＧの最大値（Ｈ２）のいずれかが大きい場合、大きいと判定した信号の最大値を、小さいと判定した信号の最大値で除算することにより、増幅度（ゲイン）を算出する。たとえば、前述したように、Ｈ１＜Ｈ２の場合、制御部１２０は、Ｈ２／Ｈ１により、増幅度（ゲイン）を算出する。ここで、算出された増幅度は、たとえば、“１．２”であるとする。その後、ステップＳ２３６に進む。
【００８２】
ステップＳ２３６では、増幅度の設定が行なわれる。具体的には、制御部１２０が、高周波信号ＨＦＱＳＩＧが入力されるゲイン調整部１３０Ａの増幅度を、ステップＳ２３４で算出した値（たとえば、“１．２”）に設定する。また、制御部１２０は、低周波信号ＬＦＱＳＩＧが入力されるゲイン調整部１３０Ｂの増幅度を、“１．０”に設定する。その後、再度、ステップＳ２３０に進む。
【００８３】
ステップＳ２３０では、ゲイン調整部１３０Ａおよびゲイン調整部１３０Ｂの各々が、制御部１２０に設定された増幅度に基づいて、受信した信号を増幅させる。ステップＳ２３０の処理が行なわれるのが初めてでない場合、ゲイン調整部１３０Ａは、高周波信号ＨＦＱＳＩＧの振幅を、設定された増幅度（１．２）倍にしたゲイン調整信号ＨＦＱＡＳＩＧを、加算部１９０および制御部１２０へ送信する。また、ゲイン調整部１３０Ｂは、低周波信号ＬＦＱＳＩＧを、そのまま、ゲイン調整信号ＬＦＱＡＳＩＧとして、加算部１９０および制御部１２０へ送信する。その後、前述のステップＳ２３２の処理が行なわれる。
【００８４】
すなわち、ステップＳ２３０，Ｓ２３２，Ｓ２３４，Ｓ２３６の処理により、受信したゲイン調整信号ＨＦＱＡＳＩＧおよびゲイン調整信号ＬＦＱＡＳＩＧにそれぞれ対応する複数の最大値が一致するまで、増幅度（ゲイン）の調整が行なわれる。Ｈ１とＨ２とが一致すると、制御部１２０は、ゲイン調整部１３０Ａおよびゲイン調整部１３０Ｂの増幅度の変更は行なわない。すなわち、イン調整部１３０Ａおよびゲイン調整部１３０Ｂの増幅度が確定される。
【００８５】
ステップＳ２３２において、ＹＥＳと判定されると、ステップＳ２４０に進む。
ステップＳ２４０では、加算処理が行なわれる。加算処理では、加算部１９０が、前述したように、受信したゲイン調整信号ＨＦＱＡＳＩＧとゲイン調整信号ＬＦＱＡＳＩＧとを加算した出力信号ＯＵＴＳＩＧを出力する。その後，ステップＳ２５０に進む。
【００８６】
ステップＳ２５０では、制御部１２０により、図示しないテスト画像生成装置から、全てのテスト信号ＴＥＳＳＩＧを受信したか否かが判定される。ここで、全てのテスト信号ＴＥＳＳＩＧとは、テスト画像の全ラインの信号である。ステップＳ２５０において、ＹＥＳならば、このゲイン調整処理Ａは終了する。一方、ステップＳ２５０において、ＮＯならば、再度、ステップＳ２１０の処理が行なわれる。
【００８７】
以上のゲイン調整処理Ａを、テスト画像のＧ成分、Ｂ成分に対しても、前述した処理と同様に行なうことで、テスト画像に基づくゲイン調整が終了する。
【００８８】
以上説明したように、本実施の形態では、ゲイン調整を行なうための信号を、各々が、異なる周波数成分を有する複数の信号に分離する。分離された複数の信号は、設定された増幅度で増幅され、加算される。
【００８９】
本実施の形態では、分離された複数の信号が加算される直前の複数の信号の各々の最大値に基づいて、複数の信号にそれぞれ対応する複数の最大値が一致するまで、増幅度（ゲイン）の調整を行なう。そして、複数の信号にそれぞれ対応する複数の最大値が一致する、複数の信号を加算する。
【００９０】
したがって、本実施の形態における、第１の実施の形態よりも高精度に、低周波成分を有する信号だけでなく、高周波成分を含む信号も、独立して、適切にゲイン調整を行なうことができる。その結果、第１の実施の形態よりもさらに高精度なゲイン調整を行なうことができるという効果を奏する。
【００９１】
＜第２の実施の形態の変形例＞
第２の実施の形態では、制御部１２０は、アナログ信号に基づいて、増幅度を設定していた。アナログ信号は、ノイズ等の影響を受けやすい。そのため、アナログ信号がノイズ等の影響を受けた場合、制御部１２０は、正確な増幅度を算出することができない。本実施の形態では、デジタルデータに基づいて、増幅度を設定する信号調整装置ついて説明する。
【００９２】
図８は、第２の実施の形態の変形例における、信号調整装置１０００Ｂの構成を示すブロック図である。図８を参照して、信号調整装置１０００Ｂは、図６の信号調整装置１０００Ａと比較して、Ａ／Ｄ変換部１４０Ａ，１４０Ｂをさらに備える点と、加算部１９０の代わりに加算部１９２を備える点とが異なる。
【００９３】
また、信号調整装置１０００Ｂは、信号調整装置１０００Ａと比較して、高周波信号ＨＦＱＳＩＧおよび低周波信号ＬＦＱＳＩＧが、それぞれ、Ａ／Ｄ変換部１４０ＡおよびＡ／Ｄ変換部１４０Ｂに入力される点と、Ａ／Ｄ変換部１４０Ａ，１４０Ｂの各々の出力信号が、制御部１２０および加算部１９２に入力される点とが異なる。それ以外の構成は、信号調整装置１０００Ａと同様なので、詳細な説明は繰り返さない。
【００９４】
本実施の形態では、第２の実施の形態の信号調整装置１０００Ａの処理と比較して、異なる処理を主に説明する。
【００９５】
ゲイン調整部１３０Ａおよびゲイン調整部１３０Ｂの各々は、前述したように、制御部１２０に設定された増幅度に基づいて、受信した信号を増幅させる。ゲイン調整部１３０Ａおよびゲイン調整部１３０Ｂの各々の増幅度は、前述したように、初期状態では、“１．０”である。したがって、ゲイン調整部１３０Ａは、初めて高周波信号ＨＦＱＳＩＧを受信した場合、受信した高周波信号ＨＦＱＳＩＧを、そのまま、ゲイン調整信号ＨＦＱＡＳＩＧとして、Ａ／Ｄ変換部１４０Ａへ送信する。
【００９６】
また、ゲイン調整部１３０Ｂは、初めて低周波信号ＬＦＱＳＩＧを受信した場合、受信した低周波信号ＬＦＱＳＩＧを、そのまま、ゲイン調整信号ＬＦＱＡＳＩＧとして、Ａ／Ｄ変換部１４０Ｂへ送信する。この場合、ゲイン調整信号ＨＦＱＡＳＩＧの波形図は、たとえば、図３（Ａ）であるとする。また、ゲイン調整信号ＬＦＱＡＳＩＧの波形図は、たとえば、図３（Ｂ）であるとする。
【００９７】
Ａ／Ｄ変換部１４０Ａは、受信したゲイン調整信号ＨＦＱＡＳＩＧを、デジタルデータを示すデジタル信号ＨＦＱＤＳＩＧに変換する。ここで、デジタル信号ＨＦＱＤＳＩＧが示すデジタルデータの値は、たとえば、“０”〜“２５５”の範囲の値である。たとえば、ゲイン調整信号ＨＦＱＡＳＩＧが、０Ｖ〜５Ｖの範囲で振幅する信号であるなら、Ａ／Ｄ変換部１４０Ａは、ゲイン調整信号ＨＦＱＡＳＩＧのｎ（０以上の整数）Ｖの値を、ｎ／５×２５５により求められる値に変換したデータを示すデジタル信号ＨＦＱＤＳＩＧを生成する。たとえば、ゲイン調整信号ＨＦＱＡＳＩＧの５Ｖの値は、デジタル信号ＨＦＱＤＳＩＧにより２５５として表現される。
【００９８】
そして、Ａ／Ｄ変換部１４０Ａは、デジタル信号ＨＦＱＤＳＩＧを、加算部１９２および制御部１２０へ送信する。
【００９９】
また、Ａ／Ｄ変換部１４０Ｂは、Ａ／Ｄ変換部１４０Ａと同様に、受信したゲイン調整信号ＬＦＱＡＳＩＧを、デジタルデータを示すデジタル信号ＬＦＱＤＳＩＧに変換する。そして、Ａ／Ｄ変換部１４０Ｂは、デジタル信号ＬＦＱＤＳＩＧを、加算部１９２および制御部１２０へ送信する。
【０１００】
そして、加算部１９２は、受信したデジタル信号ＨＦＱＤＳＩＧとデジタル信号ＬＦＱＤＳＩＧとを加算した出力信号ＯＵＴＳＩＧを出力する。なお、出力信号ＯＵＴＳＩＧは、出力先の回路がアナログ信号を受信する回路であれば、加算部１９２により、デジタル信号からアナログ信号に変換された信号となる。この場合、加算部１９２は、Ｄ／Ａ変換を行なう機能を有することとなる。
【０１０１】
また、制御部１２０は、受信したデジタル信号ＨＦＱＤＳＩＧおよびデジタル信号ＬＦＱＤＳＩＧの各々の最大値を判定する。デジタル信号ＨＦＱＤＳＩＧの最大値とは、図３（Ａ）の波形図における、最も大きい振幅Ｈ１に対応するデジタルデータの値（以下、データＨＤ１ともいう）である。データＨＤ１の値は、たとえば、２３０である。デジタル信号ＬＦＱＤＳＩＧの最大値とは、図３（Ｂ）の波形図における、振幅Ｈ２に対応するデジタルデータの値（以下、データＨＤ２ともいう）である。データＨＤ２の値は、たとえば、２５５である。なお、振幅Ｈ２は、前述したように、ゲイン調整信号ＬＦＱＡＳＩＧにおける、オーバーシュートが発生している部分を除く、振幅が安定した部分のうち、最も大きい振幅の値である。
【０１０２】
そして、制御部１２０は、データＨＤ１の値と、データＨＤ２の値とを比較する。制御部１２０は、データＨＤ１の値およびデータＨＤ２のいずれかが大きい場合、大きいと判定したデータの値を、小さいと判定したデータの値で除算することにより、増幅度（ゲイン）を算出する。
【０１０３】
たとえば、前述したように、ＨＤ１＜ＨＤ２の場合、制御部１２０は、ＨＤ２／ＨＤ１により、増幅度（ゲイン）を算出する。ここで、算出された増幅度は、たとえば、“１．２”であるとする。
【０１０４】
そして、制御部１２０は、高周波信号ＨＦＱＳＩＧが入力されるゲイン調整部１３０Ａの増幅度を、“１．２”に設定する。また、制御部１２０は、低周波信号ＬＦＱＳＩＧが入力されるゲイン調整部１３０Ｂの増幅度を、“１．０”に設定する。
【０１０５】
ゲイン調整部１３０Ａは、高周波信号ＨＦＱＳＩＧの振幅を１．２倍にしたゲイン調整信号ＨＦＱＡＳＩＧを、Ａ／Ｄ変換部１４０Ａへ送信する。また、ゲイン調整部１３０Ｂは、低周波信号ＬＦＱＳＩＧを、そのまま、ゲイン調整信号ＬＦＱＡＳＩＧとして、Ａ／Ｄ変換部１４０Ｂへ送信する。
【０１０６】
Ａ／Ｄ変換部１４０Ａは、前述した処理を行ない、デジタル信号ＨＦＱＤＳＩＧを、加算部１９２および制御部１２０へ送信する。また、Ａ／Ｄ変換部１４０Ｂは、前述した処理を行ない、デジタル信号ＬＦＱＤＳＩＧを、加算部１９２および制御部１２０へ送信する。
【０１０７】
そして、制御部１２０は、再度、データＨＤ１と、データＨＤ２とを比較し、Ｈ１とＨ２とが一致するか否かを判定する。データＨＤ１の値とデータＨＤ２の値とが一致していなかった場合、再度、前述したように、増幅度（ゲイン）を算出する。そして、算出した増幅度に基づいて、前述したように、ゲイン調整部１３０Ａおよびゲイン調整部１３０Ｂの増幅度を設定する。以上の処理を、データＨＤ１の値とデータＨＤ２の値とが一致するまで繰り返す。
【０１０８】
データＨＤ１の値とデータＨＤ２の値とが一致すると、制御部１２０は、ゲイン調整部１３０Ａおよびゲイン調整部１３０Ｂの増幅度の変更は行なわない。すなわち、ゲイン調整部１３０Ａおよびゲイン調整部１３０Ｂの増幅度が確定される。
【０１０９】
そして、加算部１９２は、受信したデジタル信号ＨＦＱＤＳＩＧとデジタル信号ＬＦＱＤＳＩＧとを加算した出力信号ＯＵＴＳＩＧを出力する。なお、出力信号ＯＵＴＳＩＧは、出力先の回路がアナログ信号を受信する回路であれば、加算部１９２により、デジタル信号からアナログ信号に変換された信号となる。この場合、加算部１９２は、Ｄ／Ａ変換を行なう機能を有することとなる。
【０１１０】
次に、信号調整装置１０００Ｂが、テスト信号ＴＥＳＳＩＧに基づいてゲイン調整を行なう処理（以下、ゲイン調整処理Ｂともいう）について説明する。
【０１１１】
図９は、ゲイン調整処理Ｂのフローチャートである。図９を参照して、ステップＳ３１０では、図７のステップＳ２１０と同様な処理が行なわれるので詳細な説明は繰り返さない。その後、ステップＳ３２０に進む。
【０１１２】
ステップＳ３２０では、前述のステップＳ２２０と同様な処理が行なわれるので詳細な説明は繰り返さない。その後、ステップＳ３３０に進む。
【０１１３】
ステップＳ３３０では、前述のステップＳ２３０と同様な処理が行なわれるので詳細な説明は繰り返さない。その後、ステップＳ３３１に進む。
【０１１４】
ステップＳ３３１では、Ａ／Ｄ変換処理が行なわれる。Ａ／Ｄ変換処理では、前述したように、Ａ／Ｄ変換部１４０Ａが、受信したゲイン調整信号ＨＦＱＡＳＩＧを、デジタルデータを示すデジタル信号ＨＦＱＤＳＩＧに変換する。そして、Ａ／Ｄ変換部１４０Ａは、デジタル信号ＨＦＱＤＳＩＧを、加算部１９２および制御部１２０へ送信する。
【０１１５】
また、Ａ／Ｄ変換部１４０Ｂは、Ａ／Ｄ変換部１４０Ａと同様に、受信したゲイン調整信号ＬＦＱＡＳＩＧを、デジタルデータを示すデジタル信号ＬＦＱＤＳＩＧに変換する。そして、Ａ／Ｄ変換部１４０Ｂは、デジタル信号ＬＦＱＤＳＩＧを、加算部１９２および制御部１２０へ送信する。
【０１１６】
ステップＳ３３２では、制御部１２０が、受信したデジタル信号ＨＦＱＤＳＩＧおよびデジタル信号ＬＦＱＤＳＩＧの各々の最大値を判定する。具体的には、前述した、データＨＤ１の値と、データＨＤ２の値とが一致するか否かを判定する。ステップＳ３３２において、ＹＥＳならば、後述するステップＳ３４０に進む。一方、ステップＳ３３２において、ＮＯならば、ステップＳ３３４に進む。
【０１１７】
ステップＳ３３４では、制御部１２０が、増幅度の算出を行なう。具体的には、前述したように、制御部１２０が、データＨＤ１の値およびデータＨＤ２のいずれかが大きい場合、大きいと判定したデータの値を、小さいと判定したデータの値で除算することにより、増幅度（ゲイン）を算出する。
【０１１８】
たとえば、前述したように、ＨＤ１＜ＨＤ２の場合、制御部１２０は、ＨＤ２／ＨＤ１により、増幅度（ゲイン）を算出する。ここで、算出された増幅度は、たとえば、“１．２”であるとする。その後、ステップＳ３３６に進む。
【０１１９】
ステップＳ３３６では、増幅度の設定が行なわれる。具体的には、制御部１２０が、高周波信号ＨＦＱＳＩＧが入力されるゲイン調整部１３０Ａの増幅度を、“１．２”に設定する。また、制御部１２０は、低周波信号ＬＦＱＳＩＧが入力されるゲイン調整部１３０Ｂの増幅度を、“１．０”に設定する。その後、再度、ステップＳ３３０に進む。
【０１２０】
ステップＳ３３０では、ゲイン調整部１３０Ａおよびゲイン調整部１３０Ｂの各々が、制御部１２０に設定された増幅度に基づいて、受信した信号を増幅させる。その後、前述したステップＳ３３１，Ｓ３３２の処理が行なわれる。
【０１２１】
すなわち、ステップＳ３３０，Ｓ３３１，Ｓ３３２，Ｓ３３４，Ｓ３３６の処理により、データＨＤ１の値とデータＨＤ２の値とが一致するまで、増幅度（ゲイン）の調整が行なわれる。データＨＤ１の値とデータＨＤ２の値とが一致すると、制御部１２０は、ゲイン調整部１３０Ａおよびゲイン調整部１３０Ｂの増幅度の変更は行なわない。すなわち、ゲイン調整部１３０Ａおよびゲイン調整部１３０Ｂの増幅度が確定される。
【０１２２】
ステップＳ３３２において、ＹＥＳと判定されると、ステップＳ３４０に進む。
ステップＳ３４０では、加算処理が行なわれる。加算処理では、加算部１９２が、前述したように、受信したデジタル信号ＨＦＱＤＳＩＧとデジタル信号ＬＦＱＤＳＩＧとを加算した出力信号ＯＵＴＳＩＧを出力する。その後，ステップＳ３５０に進む。
【０１２３】
ステップＳ３５０では、制御部１２０により、図示しないテスト画像生成装置から、全てのテスト信号ＴＥＳＳＩＧを受信したか否かが判定される。ここで、全てのテスト信号ＴＥＳＳＩＧとは、テスト画像の全ラインの信号である。ステップＳ３５０において、ＹＥＳならば、このゲイン調整処理Ｂは終了する。一方、ステップＳ３５０において、ＮＯならば、再度、ステップＳ３１０の処理が行なわれる。
【０１２４】
以上のゲイン調整処理Ｂを、テスト画像のＧ成分、Ｂ成分に対しても、前述した処理と同様に行なうことで、テスト画像に基づくゲイン調整が終了する。
【０１２５】
以上説明したように、本実施の形態では、デジタルデータに基づいて、増幅度を設定し、ゲイン調整を行なうので、第２の実施の形態よりもさらに高精度なゲイン調整を行なうことができるという効果を奏する。
【０１２６】
＜第３の実施の形態＞
第１の実施の形態、第２の実施の形態、第２の実施の形態の変形例では、ゲイン調整を行なう処理を行なっていた。本実施の形態では、ゲイン調整が不要な信号調整装置ついて説明する。
【０１２７】
図１０は、第３の実施の形態における、信号調整装置１０００Ｃの構成を示すブロック図である。図１０を参照して、信号調整装置１０００Ｃは、図１の信号調整装置１０００と比較して、ゲイン調整部１３０Ａ，１３０Ｂの代わりにＡ／Ｄ変換部１４２Ａ，１４２Ｂを備える点と、加算部１９０の代わりに、加算部１９２を備える点とが異なる。それ以外の構成は、信号調整装置１０００と同様なので、詳細な説明は繰り返さない。
【０１２８】
本実施の形態では、第１の実施の形態の信号調整装置１０００の処理と比較して、異なる処理を主に説明する。
【０１２９】
周波数分離部１１０は、前述したように、受信したテスト信号ＴＥＳＳＩＧを、所定の周波数成分より大きい周波数成分を含む高周波信号ＨＦＱＳＩＧと、所定の周波数成分以下の周波数成分を含む低周波信号ＬＦＱＳＩＧとに分離する。そして、周波数分離部１１０は、高周波信号ＨＦＱＳＩＧを、Ａ／Ｄ変換部１４２Ａおよび制御部１２０へ送信する。また、周波数分離部１１０は、低周波信号ＬＦＱＳＩＧを、Ａ／Ｄ変換部１４２Ｂおよび制御部１２０へ送信する。
【０１３０】
Ａ／Ｄ変換部１４２Ａ，１４２Ｂは、制御部１２０に設定された、後述する最大電圧値に基づいて、受信した信号を、デジタルデータを示すデジタル信号に変換する。
【０１３１】
制御部１２０は、前述したように、受信した高周波信号ＨＦＱＳＩＧおよび低周波信号ＬＦＱＳＩＧの各々の最大値を判定する。高周波信号ＨＦＱＳＩＧの最大値とは、図３（Ａ）の波形図における、最も大きい振幅Ｈ１の値である。以下においては、高周波信号ＨＦＱＳＩＧの最大値を、高周波信号ＨＦＱＳＩＧの最大電圧値ともいう。
【０１３２】
低周波信号ＬＦＱＳＩＧの最大値とは、図３（Ｂ）の波形図における、振幅Ｈ２の値である。なお、振幅Ｈ２は、低周波信号ＬＦＱＳＩＧにおける、オーバーシュートが発生している部分を除く、振幅が安定した部分のうち、最も大きい振幅の値である。以下においては、低周波信号ＬＦＱＳＩＧの最大値を、低周波信号ＬＦＱＳＩＧの最大電圧値ともいう。
【０１３３】
制御部１２０は、高周波信号ＨＦＱＳＩＧの最大値を、たとえば、４．６Ｖと判定したとする。この場合、制御部１２０は、Ａ／Ｄ変換部１４２Ａに対し、デジタル変換を行なう際の最大電圧値を４．６Ｖに設定する。また、制御部１２０は、低周波信号ＬＦＱＳＩＧの最大値を、たとえば、５．０Ｖと判定したとする。この場合、制御部１２０は、Ａ／Ｄ変換部１４２Ｂに対し、デジタル変換を行なう際の最大電圧値を５．０Ｖに設定する。
【０１３４】
Ａ／Ｄ変換部１４２Ａは、制御部１２０により設定された最大電圧値（４．６Ｖ）に基づいて、受信した高周波信号ＨＦＱＳＩＧを、デジタルデータを示すデジタル信号ＨＦＱＤＳＩＧに変換する。ここで、デジタル信号ＨＦＱＤＳＩＧが示すデジタルデータの値は、たとえば、“０”〜“２５５”の範囲の値であるとする。たとえば、高周波信号ＨＦＱＳＩＧが、０Ｖ〜５Ｖの範囲で振幅する信号であるなら、Ａ／Ｄ変換部１４２Ａは、高周波信号ＨＦＱＳＩＧのｎ（０以上の整数）Ｖの値を、ｎ／最大電圧値（４．６）×２５５により求められる値に変換したデータを示すデジタル信号ＨＦＱＤＳＩＧを生成する。たとえば、高周波信号ＨＦＱＳＩＧの４．６Ｖの値は、デジタル信号ＨＦＱＤＳＩＧにより２５５として表現される。
そして、Ａ／Ｄ変換部１４２Ａは、デジタル信号ＨＦＱＤＳＩＧを、加算部１９２へ送信する。
【０１３５】
Ａ／Ｄ変換部１４２Ｂは、Ａ／Ｄ変換部１４０Ａと同様に、受信した低周波信号ＬＦＱＳＩＧを、デジタルデータを示すデジタル信号ＬＦＱＤＳＩＧに変換する。そして、Ａ／Ｄ変換部１４２Ｂは、デジタル信号ＬＦＱＤＳＩＧを、加算部１９２へ送信する。
【０１３６】
そして、加算部１９２は、受信したデジタル信号ＨＦＱＤＳＩＧとデジタル信号ＬＦＱＤＳＩＧとを加算した出力信号ＯＵＴＳＩＧを出力する。なお、出力信号ＯＵＴＳＩＧは、出力先の回路がアナログ信号を受信する回路であれば、加算部１９２により、デジタル信号からアナログ信号に変換された信号となる。
【０１３７】
以上の処理が、全てのテスト信号ＴＥＳＳＩＧを受信するまで行なわれる。そして、以上の処理を、テスト画像のＧ成分、Ｂ成分に対しても、前述した処理と同様に行なうことで、テスト画像に基づくゲイン調整が終了する。
【０１３８】
以上説明したように、本実施の形態では、ゲイン調整を行なう回路が不要となるので、実施の形態１と同様な効果を奏するのに加え、さらに、信号調整装置のコストの低減を図ることができるという効果を奏する。
【０１３９】
なお、第１の実施の形態、第２の実施の形態、第２の実施の形態の変形例、第３の実施の形態においては、周波数分離部１１０は、入力された信号を、周波成分に応じて、２つに分離していが、これに限定されることなく、周波数成分に応じて、３つ以上に分離しても、本発明は実現可能である。
【０１４０】
この場合、第１の実施の形態の信号調整装置１０００は、周波数分離部１１０により分離された信号の数に対応するゲイン調整部を設けた構成となる。また、第２の実施の形態の信号調整装置１０００Ａは、周波数分離部１１０により分離された信号の数に対応するゲイン調整部を設けた構成となる。また、第２の実施の形態の変形例の信号調整装置１０００Ｂは、周波数分離部１１０により分離された信号の数に対応するゲイン調整部およびＡ／Ｄ変換部を設けた構成となる。また、第３の実施の形態の信号調整装置１０００Ｃは、周波数分離部１１０により分離された信号の数に対応するＡ／Ｄ変換部を設けた構成となる。
【０１４１】
なお、本発明の信号調整装置１０００，１０００Ａ，１０００Ｂ，１０００Ｃは、たとえば、正確な色の再現性が要求される表示装置（たとえば、液晶モニタ）に内蔵される。そして、表示装置の最終的な色調整の際に、本発明の信号調整装置の処理が行なわれる。なお、本発明の信号調整装置は、表示装置等に内蔵されず、単体で動作してもよい。
【０１４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４３】
【図１】第１の実施の形態における、信号調整装置の構成を示すブロック図である。
【図２】テスト画像およびテスト画像を示す信号の波形図である。
【図３】信号の波形図である。
【図４】出力信号の波形図である。
【図５】ゲイン調整処理および増幅度算出処理のフローチャートである。
【図６】第２の実施の形態における、信号調整装置の構成を示すブロック図である。
【図７】ゲイン調整処理Ａのフローチャートである。
【図８】第２の実施の形態の変形例における、信号調整装置の構成を示すブロック図である。
【図９】ゲイン調整処理Ｂのフローチャートである。
【図１０】第３の実施の形態における、信号調整装置の構成を示すブロック図である。
【図１１】信号の波形図を示す。
【符号の説明】
【０１４４】
１１０  周波数分離部、１２０  制御部、１３０Ａ，１３０Ｂ  ゲイン調整部、１４０Ａ，１４０Ｂ  Ａ／Ｄ変換部、１９０，１９２  加算部、１０００，１０００Ａ，１０００Ｂ，１０００Ｃ  信号調整装置。
【図１】
0004693637.tif 000002
【図２】
0004693637.tif 000003
【図３】
0004693637.tif 000004
【図４】
0004693637.tif 000005
【図５】
0004693637.tif 000006
【図６】
0004693637.tif 000007
【図７】
0004693637.tif 000008
【図８】
0004693637.tif 000009
【図９】
0004693637.tif 000010
【図１０】
0004693637.tif 000011
【図１１】
0004693637.tif 000012